(57)【要約】【課題】撮像装置において、イメージセンサの受光領域に対する有効領域が異なる複数の態様のうち、１以上の態様を選択して画像を記録する際に、ユーザが煩雑な操作を必要とされることを回避する。【解決手段】撮像装置１００において、撮影待機状態では、ＬＣＤ２２の第１の表示領域２２Ａには動画像用のスルー画像が表示され、第２の表示領域２２Ｂには静止画像用のスルー画像が表示される。【選択図】図５
2012165090.tif 000002
【特許請求の範囲】
【請求項１】
撮像手段と、
前記撮像手段によって撮影された画像を表示するための表示手段とを備え、
前記表示手段は、前記撮像手段によって撮影された画像と当該撮影された画像から１以上の態様で切り出された画像とのうち、２以上の画像のそれぞれを順次表示する、撮像装置。
【請求項２】
前記撮像手段によって撮影された画像を記録媒体に記録するための記録手段をさらに備え、
前記記録手段は、前記撮像手段によって撮影された画像と当該撮影された画像から１以上の態様で切り出された画像とのうち、１以上の画像を前記記録媒体に記録する、請求項１に記載の撮像装置。
【請求項３】
前記２以上の画像は、互いにアスペクト比、解像度、フレームレート、または、走査方式の少なくとも１つが異なる画像である、請求項１または請求項２に記載の撮像装置。
【請求項４】
前記撮像手段は、第１の撮像手段と第２の撮像手段を含み、
前記２以上の画像は、前記第１の撮像手段によって撮影される動画像と、前記第２の撮像手段によって撮影される静止画像とを含む、請求項１〜請求項３のいずれかに記載の撮像装置。
【請求項５】
前記２以上の画像は、動画像と静止画像とを含む、請求項１〜請求項４のいずれかに記載の撮像装置。
【請求項６】
前記２以上の画像は、アスペクト比、解像度、フレームレート、または、走査方式の少なくとも１つが互いに異なる動画像を含む、請求項１〜請求項５のいずれかに記載の撮像装置。
【請求項７】
前記２以上の画像は、アスペクト比、または、解像度の少なくとも１つが互いに異なる静止画像を含む、請求項１〜請求項６のいずれかに記載の撮像装置。
【請求項８】
撮像手段を備える撮像装置の制御方法であって、
前記撮像装置が、前記撮像手段によって撮影された画像と当該撮影された画像から１以上の態様で切り出された画像とのうち、２以上の画像のそれぞれを順次表示するステップを備える、撮像装置の制御方法。
【発明の詳細な説明】
【技術分野】
【０００１】
本発明は、撮像装置に関し、特に、撮像手段が撮影した画像から複数の態様で画像を切り出すことができ、かつ、当該複数の態様のうち１以上の態様で切り出された画像を記録する撮像装置およびその制御方法に関する。
【背景技術】
【０００２】
従来から、デジタルカメラやデジタルビデオカメラ等の撮像装置において、動画像と静止画像の双方の画像を記録する機能が備えられたものがある。
【０００３】
このような動画像と静止画像の記録が可能な撮像装置において、ＣＣＤ（Charge  Coupled  Device）等のイメージセンサの受光領域のうち記録に用いる有効領域が、動画像と静止画像で異なるのが一般的である。具体的には、動画像についての有効領域の方が、静止画像の有効領域より小さくなることが一般的である。ここで、有効領域とは、イメージセンサの受光領域から画像を切り出す領域をいう。
【０００４】
上記のように有効領域が異なる要因の一つとして、動画像の方が、静止画像と比較して短時間で、記録の際に、イメージセンサにおいて発生した信号電荷を読み出す必要があることが挙げられる。なお、静止画像の記録の際には、撮像装置においてレリーズボタンが操作されたタイミングで上記信号電荷を読み出すだけで良いが、動画像の記録の際には、たとえば、ＶＧＡ（Video  Graphics  Array）サイズで１／３０秒程度の周期で、また、ＵＸＧＡ（Ultra  eXtended  Graphics  Array）サイズで１／１５秒程度の周期で、上記信号電荷を読み出すことを必要とされる。
【０００５】
また、他の要因としては、記録される画像に対して手ぶれ補正を行なう機能が備えられることが挙げられる。手ぶれ補正の方式には、高感度による手ぶれ補正、電子式手ぶれ補正、レンズシフト式手ぶれ補正、イメージセンサ（撮像素子）シフト式手ぶれ補正等の種々の補正の方式があるが、特に、電子的手ぶれ補正が採用された場合、補正の際に受光領域の中で有効領域として採用する領域をずらす処理が含まれるため、動画像の方が静止画像よりも有効領域が小さくなる。
【０００６】
そして、従来の撮像装置のカメラモードでは、有効領域の異なる複数の記録態様のうち１の記録態様（動画像または静止画像）のスルー画像が表示され、他の記録態様で記録をするための操作がなされると、当該他の記録態様のスルー画像へと表示が切り替えられていた。
【０００７】
なお、撮像装置におけるスルー画像の表示についても、種々の技術が開示されている。たとえば、特許文献１（特開２００８−２２３０６号公報）には、撮像素子から出力された画像データの画像と、当該画像データから生成されたトリミング画像データの画像とを、同時に、同じサイズで、表示する技術が開示されている。
【先行技術文献】
【特許文献】
【０００８】
【特許文献１】特開２００８−２２３０６号公報
【発明の概要】
【発明が解決しようとする課題】
【０００９】
上記したように、従来の撮像装置では、有効領域の異なる複数の記録態様のうち１の記録態様のスルー画像が表示されているときに他の記録態様で画像を記録させようとすると、ユーザは、スルー画像の表示を切り替えて、記録される画像の範囲を確認するという煩雑な操作を必要とされた。場合によっては、さらに、必要に応じてイメージセンサの撮影範囲を調整するという煩雑な操作を必要とされた。
【００１０】
上記した特許文献１に記載の技術によれば、ユーザは、記録しようとする画像とその元画像の双方を視認することができた。
【００１１】
しかしながら、当該技術では、上記したような、イメージセンサの受光領域に対する有効領域が異なる複数の態様のうち、１以上の態様を選択して画像を記録する際に必要とされた煩雑な操作を不要とすることはできなかった。
【００１２】
本発明は、係る実情に鑑み考え出されたものであり、その目的は、撮像装置において、イメージセンサの受光領域に対する有効領域が異なる複数の態様のうち、１以上の態様を選択して画像を記録する際の、ユーザに煩雑な操作を必要としないことである。
【課題を解決するための手段】
【００１３】
本発明に従った撮像装置は、撮像手段と、撮像手段によって撮影された画像を表示するための表示手段とを備え、表示手段は、撮像手段によって撮影された画像と当該撮影された画像から１以上の態様で切り出された画像とのうち、２以上の画像のそれぞれを順次表示する。
【００１４】
好ましくは、撮像手段によって撮影された画像を記録媒体に記録するための記録手段をさらに備え、記録手段は、撮像手段によって撮影された画像と当該撮影された画像から１以上の態様で切り出された画像とのうち、１以上の画像を記録媒体に記録する。
【００１５】
好ましくは、２以上の画像は、互いにアスペクト比、解像度、フレームレート、または、走査方式の少なくとも１つが異なる画像である。
【００１６】
好ましくは、撮像手段は、第１の撮像手段と第２の撮像手段を含み、２以上の画像は、第１の撮像手段によって撮影される動画像と、第２の撮像手段によって撮影される静止画像とを含む。
【００１７】
好ましくは、２以上の画像は、動画像と静止画像とを含む。
好ましくは、２以上の画像は、アスペクト比、解像度、フレームレート、または、走査方式の少なくとも１つが互いに異なる動画像を含む。
【００１８】
好ましくは、２以上の画像は、アスペクト比、または、解像度の少なくとも１つが互いに異なる静止画像を含む。
【００１９】
本発明に従った撮像装置の制御方法は、撮像手段を備える撮像装置の制御方法であって、撮像装置が、撮像手段によって撮影された画像と当該撮影された画像から１以上の態様で切り出された画像とのうち、２以上の画像のそれぞれを順次表示するステップを備える。
【発明の効果】
【００２０】
本発明によれば、撮像装置は、撮像手段が撮影した画像または当該画像から１以上の態様で切り出された画像のうち、２以上の画像のそれぞれを順次表示する。つまり、撮像装置では、上記２以上の画像のそれぞれのスルー画像が表示される。
【００２１】
これにより、撮像装置において、イメージセンサの受光領域に対する有効領域が異なる複数の態様のうち、１以上の態様を選択して画像を記録する際に、２以上の態様のスルー画像を見ることができるため、スルー画像を切り替える等のユーザが煩雑な操作を必要とされることを回避できる。
【図面の簡単な説明】
【００２２】
【図１】本発明の第１の実施の形態である撮像装置の外観図である。
【図２】図１の撮像装置の電気的な概略構成を示すブロック図である。
【図３】図１の撮像装置のＬＣＤ（Liquid  Crystal  Display）に対して定義された複数の表示領域を説明するための図である。
【図４】図１の撮像装置において、ＣＣＤの受光領域からの複数の態様での撮像信号の切出態様を説明するための図である。
【図５】図１の撮像装置における撮影待機状態でのＬＣＤの表示態様を説明するための図である。
【図６】図１の撮像装置において実行される撮影処理のフローチャートである。
【図７】図１の撮像装置における、静止画像が記録された直後のＬＣＤの表示態様の一例を示す図である。
【図８】図１の撮像装置における、動画像の記録期間中のＬＣＤの表示態様の一例を示す図である。
【図９】第１の実施の形態の変形例（１）の撮像装置における、動画像の記録期間中のＬＣＤの表示態様の一例を示す図である。
【図１０】第１の実施の形態の変形例（２）の撮像装置における、動画像の記録期間中のＬＣＤの表示態様の一例を示す図である。
【図１１】第１の実施の形態の変形例（３）の撮像装置における、動画像の記録期間中のＬＣＤの表示態様の一例を示す図である。
【図１２】本発明の第２の実施の形態である撮像装置の電気的な概略構成を示すブロック図である。
【図１３】ＶＧＡサイズおよびＵＸＧＡサイズの動画像の信号電荷の読出態様を説明するための図である。
【発明を実施するための形態】
【００２３】
以下、この発明の実施の形態について、図面を参照しながら詳細に説明する。なお、図中の同一または相当部分については、同一符号を付してその説明は繰返さない。
【００２４】
［第１の実施の形態］
（撮像装置の全体構成）
図１は、この発明の第１の実施の形態である撮像装置１００の外観図である。なお、図１（Ａ）は、撮像装置１００を撮影レンズ側から見た外観図であり、図１（Ｂ）は、撮像装置１００を表示装置の一例であるＬＣＤ側から見た外観図である。撮像装置１００は、デジタルムービーカメラであってもよいし、または、ビデオカメラ機能を有する携帯通信端末であってもよい。
【００２５】
撮像装置１００は、撮影レンズ１を被写体側に向け、また、ＬＣＤ２２をユーザ側に向けることにより、ユーザは、ＬＣＤ２２を、撮影レンズ１を含む撮像ユニットのファインダとして利用することができる。
【００２６】
撮像装置１００には、また、動画像の撮影動作を開始／停止させる動画像撮影ボタン１３Ａと、静止画像の撮影動作を開始させるレリーズボタン１３Ｂと、音声の記録動作を開始／停止させる音声記録ボタン１３Ｃが配設されている。
【００２７】
図２は、撮像装置１００の電気的な概略構成を示すブロック図である。
撮像装置１００は、撮影レンズ１、レンズ駆動ブロック３、絞り兼用シャッタ４、ＣＣＤ５、ＴＧ（Timing  Generator）６、ユニット回路７、ＤＲＡＭ（Dynamic  Random  Access  Memory）８、メモリ９、ＣＰＵ（Central  Processing  Unit）１０、フラッシュメモリ１１、ＬＣＤ２２、入力部１３、音声処理部１４、ストロボ駆動部１５、ストロボ発光部１６、カードＩ／Ｆ（インターフェイス）１７を備えている。カードＩ／Ｆ１７には、図示しない撮像装置１００本体のカードスロットに着脱自在に装着されたメモリカード１８が接続されている。
【００２８】
撮影レンズ１は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるモータと、ＣＰＵ１０からの制御信号に従ってフォーカスモータ、ズームモータをそれぞれ光軸方向に駆動させるフォーカスモータドライバ、ズームモータドライバから構成されている。
【００２９】
絞り兼用シャッタ４は、図示しない駆動回路を含み、当該駆動回路はＣＰＵ１０から送られてくる制御信号に従って絞り兼用シャッタを動作させる。この絞り兼用シャッタは、絞りとシャッタとして機能する。
【００３０】
絞りとは、撮影レンズから入ってくる光の量を制御する機構のことを言い、シャッタとは、ＣＣＤ５に光を当てる時間を制御する機構のことを言う。ＣＣＤ５に光を当てる時間は、シャッタの開閉の速度（シャッタ速度）によって、変化する。露出は、この絞りとシャッタ速度によって定めることができる。
【００３１】
ＣＣＤ５は、撮影レンズ１、絞り兼用シャッタ４を介して投影された被写体の光を電気信号に変換し、撮像信号としてユニット回路７に出力する。また、ＣＣＤ５は、ＴＧ６によって生成された所定周波数のタイミング信号に従って駆動する。ＴＧ６には、ユニット回路７が接続されている。
【００３２】
ユニット回路７は、ＣＣＤ５から出力される撮像信号を相関二重サンプリングして保持するＣＤＳ（Correlated  Double  Sampling）回路、そのサンプリング後の撮像信号の自動利得調整を行なうＡＧＣ（Automatic  Gain  Control）回路、その自動利得調整後のアナログの撮像信号をデジタル信号に変換するＡ／Ｄ（Analog／Digital）変換器から構成されており、ＣＣＤ５の撮像信号が、ユニット回路７を経てデジタル信号としてＣＰＵ１０に送られる。
【００３３】
ＣＰＵ１０は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ（Joint  Photographic  Experts  Group）形式やＭＰＥＧ（Moving  Picture  Experts  Group）形式の圧縮・伸張）の処理などを行う機能を有するとともに、撮像装置１００の各部を制御する。ＣＰＵ１０は、たとえばワンチップマイコンにより実現される。
【００３４】
ＤＲＡＭ８は、ＣＣＤ５によって撮像された後、ＣＰＵ１０に送られてきた画像データを一時記憶するバッファメモリとして使用されるとともに、ＣＰＵ１０のワーキングメモリとして使用される。このＤＲＡＭ８は、撮像画像記憶領域と、トリミング画像記憶領域と、合成画像記憶領域と、トリミング情報記憶領域の４つの記憶領域を有する。
【００３５】
メモリ９には、ＣＰＵ１０による撮像装置１００の各部の制御に必要なプログラム、及び各部の制御に必要なデータ（トリミング範囲情報のデフォルト値）が記録されており、ＣＰＵ１０は、このプログラムにしたがって処理を行なう。
【００３６】
入力部１３は、動画像撮影ボタン１３Ａ、レリーズボタン１３Ｂ、および、音声記録ボタン１３Ｃを含み、ユーザの操作に応じた操作信号をＣＰＵ１０に出力する。なお、入力部１３は、動画像撮影ボタン１３Ａのようなハードウェアキーのみでなく、ＬＣＤ２２の上にタッチセンサ等の入力デバイスが貼着されている場合には当該ＬＣＤ２２に表示されるソフトウェアキーを含んでも良く、また、ソフトウェアキーのみによって構成されても良い。
【００３７】
フラッシュメモリ１１やメモリカード１８は、ＣＣＤ５によって撮像された画像データなどを保存しておく記録媒体である。なお、本実施の形態では、画像データの書き込み（記録）は、専らフラッシュメモリ１１を用いて説明しているが、ユーザの入力部１３の操作により、画像データをフラッシュメモリ１１に記録するか、メモリカード１８に記録するかを選択することができる。
【００３８】
ＬＣＤ２２は、カラーＬＣＤとその駆動回路を含み、撮影待機状態にあるときには、ＣＣＤ５によって撮像された被写体をスルー画像として表示し、記録画像の再生時には、フラッシュメモリ１１やメモリカード１８から読み出され、伸張された記録画像を表示させる。なお、スルー画像とは、ＣＣＤ５によって撮影された画像であって、ＣＣＤ５によって順次撮影された画像が順次ＬＣＤ２２に切り替えられて現われる態様で表示される画像を言う。
【００３９】
音声処理部１４は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ１０に送る。ＣＰＵ１０は、送られてきた音声データを、バッファメモリ（ＤＲＡＭ８）に順次記憶させ、ＣＣＤ５によって撮像された画像データとともにフラッシュメモリ１１やメモリカード１８に記録する。
【００４０】
また、音声処理部１４は、音声付画像の再生時には、各画像データに付属する音声データに基づく音声等を内蔵スピーカから放音する。
【００４１】
ストロボ駆動部１５は、ＣＰＵ１０の制御信号にしたがって、ストロボ発光部１６を閃光駆動させ、ストロボ発光部１６はストロボを閃光させる。なお、ＣＰＵ１０は、ＣＣＤ５の出力信号又は図示しない測光回路によって撮影シーンが暗いか否かを判断する。そして、撮影シーンが暗いと判断したときには、撮影を行うと判断した時点で（シャッタボタン押下時）、ストロボ駆動部１５に制御信号を送る。
【００４２】
（撮像装置における画面表示）
本実施の形態の撮像装置１００では、ＣＰＵ１０は、ＣＣＤ５によって撮像された画像データを、複数の態様で、フラッシュメモリ１１等の記録媒体に記録することができる。
【００４３】
ここで、複数の態様には、たとえば、動画像と静止画像を含む。
本実施の形態では、動画像の形式の一例として、ＡＶＩ（Audio  Video  Interleave）形式でＣＣＤ５から切り出される画像のアスペクト比が１６：９の場合について説明する。また、本実施の形態において記録される静止画像の一例として、アスペクト比が４：３の静止画像ファイルを例示する。
【００４４】
撮像装置１００では、撮影待機状態にあるとき、ＬＣＤ２２に、記録され得る複数の態様のそれぞれについて、スルー画像が、ＬＣＤ２２に表示される。
【００４５】
スルー画像の表示は、たとえば、ＣＰＵ１０が、ＣＣＤ５によって撮影された画像を一時的にＤＲＡＭ８に保存し、当該ＤＲＡＭ８から適切な範囲の画像を読み込んでＬＣＤ２２に表示させることによって、実現される。
【００４６】
このため、ＬＣＤ２２において、図３に示されるように、複数の態様のそれぞれのスルー画像を表示するための領域が定義されている。具体的には、図３に示されるように、ＬＣＤ２２には、第１の表示領域２２Ａと、第２の表示領域２２Ｂとが定義されている。第１の表示領域２２Ａは、第２の表示領域２２Ｂの上方に位置している。
【００４７】
第１の表示領域２２Ａは、ＡＶＩ形式の動画像に対応している。第２の表示領域２２Ｂは、上記した静止画像に対応している。つまり、第１の表示領域２２Ａのアスペクト比は、１６：９であり、第２の表示領域２２Ｂのアスペクト比は、４：３である。
【００４８】
撮像装置１００において、撮影待機状態では、第１の表示領域２２Ａに動画像のスルー画像が表示され、第２の表示領域２２Ｂに静止画像のスルー画像が表示される。ここで、これらのスルー画像がどのように生成されるかについて、図４（Ａ）および図４（Ｂ）を参照して、説明する。
【００４９】
図４（Ａ）および図４（Ｂ）において、領域２２０は、ＣＣＤ５の受光領域を模式的に表している。ＣＰＵ１０は、領域２２０で示される受光領域から、図４（Ａ）に示される領域２２１の撮像信号を切出して、動画像用のスルー画像を表示し、また、動画像として記録する。また、ＣＰＵ１０は、領域２２０から、図４（Ｂ）において領域２２２の撮像信号を切出して、静止画像用のスルー画像として表示し、また、静止画像として記録する。図４（Ａ）の領域２２１のアスペクト比は、ＡＶＩ形式に対応して、１６：９である。一方、図４（Ｂ）の領域２２２のアスペクト比は、上記した静止画像のアスペクト比に対応して、４：３である。
【００５０】
そして、ＣＰＵ１０は、動画像用のスルー画像を、図３の第１の表示領域２２Ａに表示し、また、静止画像用のスルー画像を、図３の第２の表示領域２２Ｂに表示させる。
【００５１】
図５は、第１の表示領域２２Ａに動画像のスルー画像が表示され、また、第２の表示領域２２Ｂに静止画像のスルー画像が表示された状態を模式的に示す図である。
【００５２】
図５を参照して、第１の表示領域２２Ａに表示されている動画像用のスルー画像は、第２の表示領域２２Ｂに表示されている静止画像用のスルー画像と、同じ元画像から切り出された画像とされている。なお、各領域におけるスルー画像は、同じ元画像から切り出されたものとされなくともよい。つまり、たとえば、動画像用するスルー画像と静止画像用スルー画像の更新頻度は異なってもよい。動画像用のスルー画像は、たとえば１／１５秒ごとに更新され、静止画像用のスルー画像は、たとえば１／１０秒ごとに更新されてもよい。
【００５３】
撮像装置１００のユーザは、図５に示されたようなＬＣＤ２２の表示を視認することにより、動画像用のスルー画像と静止画像用のスルー画像を同時に視認することができる。つまり、フラッシュメモリ１１等の記録媒体に記録されることが可能な複数の態様の画像であって、ＣＣＤ５の受光領域から画像を切り出された態様が異なる複数の画像を、ＬＣＤ２２において視認することができる。これにより、動画像の記録を開始させる場合であっても、静止画像の記録を開始する場合であっても、記録させようとする画像のスルー画像をＬＣＤ２２に表示させるための切換操作等の煩雑な操作を必要とされない。
【００５４】
撮像装置１００では、図５に示された状態で、動画像撮影ボタン１３Ａが操作されると、動画像の記録が開始される。なお、当該動画像の記録は、動画像撮影ボタン１３Ａが再度操作されるまで、継続される。
【００５５】
また、図５に示された状態において、レリーズボタン１３Ｂが操作されると、撮像装置１００では、静止画像の記録が開始される。
【００５６】
なお、ＬＣＤ２２において、第１の表示領域２２Ａと第２の表示領域２２Ｂ以外の領域は、背景として、たとえば黒色で表示される。
【００５７】
（撮影処理）
以下、撮像装置１００における、動画像および／または静止画像の撮影（記録）が行なわれる際の、ＣＰＵ１０が実行する処理内容について、当該処理のフローチャートである図６を参照して説明する。なお、当該処理は、撮像装置１００をカメラモードに移行させる操作がなされたことに応じて開始される。そのような操作の一例としては、たとえば、動画像撮影ボタン１３Ａまたはレリーズボタン１３Ｂに対する押下操作が挙げられる。
【００５８】
図６を参照して、撮像装置１００がカメラモードに移行すると、ＣＰＵ１０は、まずステップＳ１０で、図５に示したように、ＬＣＤ２２に、動画像用のスルー画像と静止画像用のスルー画像を表示させて、ステップＳ２０へ処理を進める。
【００５９】
ステップＳ２０では、ＣＰＵ１０は、動画像撮影ボタン１３Ａに対して操作がなされたか否かを判断し、操作がなされたと判断するとステップＳ３０へ処理を進め、当該ボタンに対する操作がなされていないと判断するとステップＳ６０へ処理を進める。
【００６０】
ステップＳ６０では、ＣＰＵ１０は、レリーズボタン１３Ｂに対して操作がなされたか否かを判断し、なされたと判断するとステップＳ７０へ処理を進め、なされていないと判断すればステップＳ１０へ処理を戻す。
【００６１】
ステップＳ７０では、ＣＰＵＩ０は、ＣＣＤ５で撮影された画像を、静止画像としてフラッシュメモリ１１等の記録媒体に記録させて、ステップＳ１０へ処理を戻す。
【００６２】
なお、ステップＳ７０における静止画像の記録の際には、記録された静止画像を、一定時間、ＬＣＤ２２に表示させることが好ましい。図７は、静止画像が記録された直後のＬＣＤ２２の表示態様の一例を示す図である。
【００６３】
図７を参照して、ＬＣＤ２２には、領域２２Ｐに、静止画像のみが表示されている。これにより、ユーザは、上記記録媒体に記録された静止画像を確認することができる。そして、ＣＰＵ１０は、ステップＳ７０で記録した静止画像を一定時間（たとえば、３秒）、図７に示したようにＬＣＤ２２に表示させた後、図５に示されたように、ＬＣＤ２２に、動画像用と静止画像用のスルー画像を表示させる（ステップＳ１０）。
【００６４】
一方、ステップＳ３０では、ＣＰＵ１０は、ＣＣＤ５によって撮影された画像の、動画像としての記録を開始する。このとき、ＣＰＵ１０は、一定周期で、ＣＣＤ５の一部の画像（図４（Ａ）の領域２２１）から信号電荷を繰返し読出し、上記記録媒体に記録する動作を繰返す。
【００６５】
そして、ステップＳ４０で、ＣＰＵ１０は、動画像撮影ボタン１３Ａが操作されか否かを判断し、操作されていないと判断するとステップＳ３０へ処理を戻す。一方、ステップＳ４０で、動画像撮影ボタン１３Ａが操作されたと判断すると、ＣＰＵ１０は、処理をステップＳ５０へ進める。ステップＳ５０では、ＣＰＵ１０は、動画像の記録を停止させて、ステップＳ１０へ処理を戻す。
【００６６】
なお、ＣＰＵ１０は、ステップＳ３０で動画像の記録を繰返している期間中は、図８に示すように、ＬＣＤ２２において、動画像用のスルー画像のみを表示させることが好ましい。
【００６７】
（変形例（１））
以上説明した本実施の形態では、図６を参照して説明した撮影処理において、動画像が記録される期間中、ＬＣＤ２２には動画像用のスルー画像のみが表示されていた（図８参照）。ここで、動画像が記録される期間中も、ＬＣＤには、図５を参照して説明したように、動画像用のスルー画像とともに静止画像用のスルー画像が表示されてもよい。ただし、ＬＣＤ２２にスルー画像を表示された動画像と静止画像のうち動画像の記録が行なわれていることを、ＬＣＤ２２において、報知する表示がなされることが好ましい。たとえば、図９に示されるように、動画像の記録が行なわれている期間中、ＬＣＤ２２の第１の表示領域２２Ａには動画像のスルー画像が表示され、第２の表示領域２２Ｂには静止画像のスルー画像が表示され、さらに、第１の表示領域２２Ａは、動画像の記録が行なわれていることを示すために強調した表示（外枠が太線で表示される）がなされ、さらに、記録中であることを示す情報（「●ＲＥＣ」）、および、録画時間（「００：００：２８」）が表示されている。
【００６８】
このような表示が行なわれることにより、撮像装置１００のユーザが、その時点で記録を行なっている動画像から、静止画像へと記録する画像を切換える場合であっても、そのスルー画像が第２の表示領域２２Ｂに表示されているため、スルー画像の切換等の煩雑な操作を必要とされることが回避できる。
【００６９】
（変形例（２））
以上説明した本実施の形態では、画像の記録を行なう際に、ＬＣＤ２２の表示領域を複数に分け、当該複数の領域のそれぞれに、ＣＣＤ５が撮影した画像から切出態様の異なる複数のスルー画像が表示されていた。つまり、ＬＣＤ２２における複数の表示領域のそれぞれにおいて、異なる切出態様で切出されたそれぞれの画像が、順次表示されていた。そして、当該複数のスルー画像のうち、記録媒体に記録することを選択されなかった方のスルー画像は、図７または図８に示されたように、当該記録が行なわれている期間中（または記録の直後）にはＬＣＤ２２に表示されなくなった。
【００７０】
本変形例では、撮影待機状態においてＬＣＤ２２にスルー画像を表示された複数の態様のうち、記録することを選択されなかった態様のスルー画像が表示されていた表示領域が、記録される画像についての作業領域として利用される。作業の具体例として、記録される画像のズーム領域の選択を挙げる。
【００７１】
図６のステップＳ３０で動画像の記録が開始されると、まず図８に示したように、ＬＣＤには、第１の表示領域２２Ａにおいて、動画像のスルー画像が表示される。そして、動画像の記録が行なわれている期間中に、画像を拡大して記録するための操作（ズーム操作）がなされると、ＬＣＤ２２には、図１０に示されるように、記録中の動画像のスルー画像に重ねて、局在したい領域を示す枠２２Ｃが表示される。そして、ＬＣＤ２２の、第２の表示領域２２Ｂに対応する領域（表示領域２２Ｄ）には、枠２２Ｃ内の画像が拡大されて、表示される。
【００７２】
ＣＰＵ１０は、入力部１３に対して、枠２２Ｃの、第１の表示領域２２Ａ内で位置を変更する操作がなされると、第１の表示領域２２Ａにおける枠２２Ｃの表示位置を変更するとともに、表示領域２２Ｄに表示される画像の切出位置を変更する。
【００７３】
そして、入力部１３に対して、記録する画像の拡大倍率の変更を確定する操作がなされると、フラッシュメモリ１１等の記録媒体に記録する動画像を、当該変更後の拡大倍率で、記録する。
【００７４】
表示領域２２Ｄのアスペクト比は、当該動画像がＡＶＩ形式で記録される場合には、当該ＡＶＩ形式に従った１６：９とされることが好ましい。
【００７５】
（変形例（３））
上記した変形例（２）では、撮影待機状態においてスルー画像を表示され、そして、記録することを選択されなかった態様のスルー画像を表示していた領域が、ズーム画像を表示する領域として利用された。
【００７６】
本変形例では、当該領域において、記録が行なわれている画像についての、記録態様の設定情報の入力を受付けるための表示が行なわれる。図１１は、本変形例における動画像の記録期間中のＬＣＤ２２の表示態様の一例を示す図である。
【００７７】
図１１を参照して、図６のステップＳ３０で動画像の記録が開始された後、入力部１３に対して所定の操作がなされると、ＬＣＤ２２の動画像のスルー画像を表示する第１の表示領域２２Ａ以外の領域（表示領域２２Ｅ）には、コントロール画面が表示される。
【００７８】
当該コントロール画面には、画像とともに記録される音声についての左右のレベルを表示するレベルメータ５０４と、デジタルズームを調整するために操作されるズーム調整ボタン５０２と、サウンドズームを調整するためのサウンドズームボタン５０３と、露出補正についての調整を行なうための調整ボタン５０１Ａと、ホワイトバランスを調整するためのアイコン５０１Ｂと、測光方式に操作されるアイコン５０１Ｃとが表示されている。表示領域２２Ｅに表示された各種のボタンやアイコンは、たとえば、入力部１３が適宜操作されることにより、表示領域２２Ｅに表示されるポインタによって操作されてもよいし、ＬＣＤ上にタッチセンサが設けられ、ＬＣＤ２２がタッチパネルとして機能する場合には、当該ボタンがタッチ操作されて、操作されてもよい。
【００７９】
［第２の実施の形態］
図１２は、本発明の第２の実施の形態の撮像装置１００Ａの電気的な概略構成を示すブロック図である。撮像装置１００Ａは、レンズとＣＣＤを含む撮像ユニットを２つ有する、いわゆる２眼式の撮像装置である。撮像装置１００Ａは、たとえば、３Ｄ用の画像の撮影に用いられる。
【００８０】
図１２を参照して、撮像装置１００Ａは、図２を参照して説明した撮像装置１００に対して、さらに、撮影レンズ３１、レンズ駆動ブロック３３、絞り兼用シャッタ３４、ＣＣＤ３５、ＴＧ３６、ユニット回路３７、および、ＤＲＡＭ３８を有する。レンズ駆動ブロック３３は、図示しないフォーカスレンズ、ズームレンズをそれぞれ光軸方向に駆動させるモータと、ＣＰＵ１０からの制御信号に従ってフォーカスモータ、ズームモータをそれぞれ光軸方向に駆動させるフォーカスモータドライバ、ズームモータドライバから構成されている。本実施の形態では、レンズ駆動ブロック３は撮影レンズ１を駆動し、そして、レンズ駆動ブロック３３は撮影レンズ３１を駆動する。
【００８１】
絞り兼用シャッタ３４は、図示しない駆動回路を含み、当該駆動回路はＣＰＵ１０から送られてくる制御信号に従って絞り兼用シャッタ４を動作させる。絞り兼用シャッタ３４は、撮影レンズ３１から入ってくる光の量を制御する機構（絞り）と、ＣＣＤ３５に光を当てる時間を制御する機構を有する。これにより、ＣＣＤ３５における露出が制御される。
【００８２】
ＣＣＤ３５は、撮影レンズ３１、絞り兼用シャッタ３４を介して投影された被写体の光を電気信号に変換し、撮像信号としてユニット回路３７に出力する。また、ＣＣＤ３５は、ＴＧ３６によって生成された所定周波数のタイミング信号に従って駆動する。ＴＧ３６にはユニット回路３７が接続されている。
【００８３】
ユニット回路３７は、ユニット回路７と同様に、ＣＣＤ３５から出力される撮像信号を相関二重サンプリングして保持するＣＤＳ回路、そのサンプリング後の撮像信号の自動利得調整を行なうＡＧＣ回路、その自動利得調整後のアナログの撮像信号をデジタル信号に変換するＡ／Ｄ変換器から構成されている。ＣＣＤ３５の撮像信号は、ユニット回路３７を経て、デジタル信号としてＣＰＵ１０に送られる。
【００８４】
ＣＰＵ１０は、ユニット回路７から送られてきた画像データと同様に、ユニット回路３７から送られてきた画像データの画像処理を行ない、また、当該画像データの圧縮・伸張の処理を行なう。
【００８５】
ＤＲＡＭ３８は、ＣＣＤ３５によって撮像された後、ＣＰＵ１０に送られた画像を一時記憶するバッファメモリとして使用されるとともに、ＣＰＵ１０のワーキングメモリとして使用される。
【００８６】
本実施の形態の撮像装置１００Ａでは、ＣＰＵ１０は、ＣＣＤ５の撮像信号とＣＣＤ３５の撮像信号とを用いて、３Ｄ画像を生成することができる。つまり、撮影レンズ１と撮影レンズ３１とは、撮像装置１００Ａにおいて、ＣＣＤ５とＣＣＤ３５の撮像信号によって１つの３Ｄ画像が生成できるような態様で配置されている。
【００８７】
また、ＣＰＵ１０は、ＣＣＤ５とＣＣＤ３５のそれぞれの撮像信号を、互いに独立して、画像の記録に利用することができる。つまり、ＣＰＵ１０は、たとえば、ＣＣＤ５の撮像信号を動画像の記録に用い、ＣＣＤ３５の撮像信号を静止画像の記録に用いることができる。
【００８８】
そして、本実施の形態のＣＰＵ１０は、図６を参照して説明した撮影処理において、ステップＳ１０では、図５を参照して説明したように、第１の表示領域２２Ａに動画像用のスルー画像を表示させ、第２の表示領域２２Ｂに静止画像用のスルー画像を表示させる。なお、第１の表示領域２２Ａに表示されるスルー画像は、ＣＣＤ５の画像信号に基づいた画像であり、ＣＣＤ５によって撮影されＤＲＡＭ８に一時的に保存されている画像から適切な範囲が読み込まれてなる画像である。また、第２の表示領域２２Ｂに表示されるスルー画像は、ＣＣＤ３５の撮像信号に基づいた画像であり、ＣＣＤ３５によって撮影されＤＲＡＭ３８に一時的に保存されている画像から適切な範囲が読み込まれてなる画像である。
【００８９】
以上説明した本実施の形態では、撮像装置１００Ａには、複数のＣＣＤが設けられ、そして、それぞれのＣＣＤによって撮像された画像データが、互いに異なる態様（たとえば、動画像と静止画像）で、フラッシュメモリ１１等の記録媒体に記録され得る。
【００９０】
そして、本実施の形態の撮像装置１００Ａでは、ＬＣＤ２２には、これらの複数の態様で記録される画像についての、それぞれのスルー画像が、表示される。
【００９１】
なお、本実施の形態では、撮像装置１００Ａにおいて複数のＣＣＤが備えられていれば、それらは、必ずしも３Ｄ画像の撮影に用いられてなくてもよく、また、３Ｄ画像の撮影用に配置されていなくてもよい。
【００９２】
［その他の変形例］
以上説明した撮像装置１００および撮像装置１００Ａでは、記録待機状態には、複数の態様に対応するスルー画像が表示され、そして、その中から指定された態様の画像が、フラッシュメモリ１１等の記録媒体に記録される。
【００９３】
なお、記録待機状態にスルー画像を表示される画像についての「複数の態様」の画像には、ＣＣＤ５が撮影された画像から所定のサイズで切出された画像に限定されず、ＣＣＤ５から出力されるすべての撮像信号に対応した画像が含まれても良い。つまり、ＣＣＤ５によって撮影された画像が、切り出されることなくそのまま、スルー画像を表示されたり、フラッシュメモリ１１に記録されたりしても良い。
【００９４】
また、本実施の形態において、撮像手段はＣＣＤに限定されず、ＣＭＯＳ（Complementary  Metal  Oxide  Semiconductor）センサなど、他のタイプのものであっても良い。
【００９５】
この複数の態様の組合せとしては、上記した動画像と静止画像に特定されない。
たとえば、互いにデータ形式の異なる動画像であってもよい。具体的には、たとえば、一方がＶＧＡサイズの動画像であり、また、他方がＵＸＧＡサイズの動画像であってもよい。前者の動画像は、図１３（Ａ）に示されるように、ＣＣＤ５の一部の画素から１／３０秒周期で信号電荷が繰返し読出され、３０ｆｐｓのフレームレートで動画像が撮影される。動画像を構成する各フレームの画像データの画素数（解像度）が、ＶＧＡサイズ（６４０×４８０）になっている。一方、後者の動画像の撮影の際には、ＣＣＤ５（または、ＣＣＤ３５）の一部または全部の画素から１／１５秒周期で信号電荷が繰返し読出され、１５ｆｐｓのフレームレートで動画像が撮影される。図１３（Ｂ）に示されるように、動画像を構成する各フレームの画像データの画素数は、ＵＸＧＡサイズ（１６００×１２００）になっている。
【００９６】
また、互いに、アスペクト比、解像度、フレームレート、または、走査方式（インターレース、プログレッシブ、等）の少なくとも１つが異なる動画像であっても良い。
【００９７】
また、上記した複数の態様は、互いに画素数が異なる静止画像であってもよい。
つまり、撮像装置１００および撮像装置１００Ａでは、記録する静止画像の画素数を、２以上の複数の種類（たとえば、２４０×３２０、２４０×４００、６４０×４８０、１２８０×９６０、１６００×１２００、等）から、２以上の解像度を選択することができる。撮影待機状態では、選択された２以上の解像度のそれぞれについてのスルー画像が、ＬＣＤ２２に表示される。そして、ユーザは、入力部１３を適宜操作することにより、表示された複数のスルー画像のから記録する態様を選択することにより、当該選択された解像度での静止画像を、フラッシュメモリ１１等の記録媒体に記録させることができる。
【００９８】
また、互いにアスペクト比の異なる静止画像であっても良い。
これにより、複数のスルー画像を一度に視認し、記録媒体に記録する画素数を選択できる。したがって、記録する画素数を選択するために、複数種類の画素数の中から、待機状態においてＬＣＤ２２に表示させるスルー画像を選択するという煩雑な操作を必要とされることが、回避される。
【００９９】
また、以上説明した各実施の形態では、動画像撮影ボタン１３Ａ、レリーズボタン１３Ｂ、および、音声記録ボタン１３Ｃは、それぞれハードウェアボタンとして撮像装置１００（または撮像装置１００Ａ）に配置されたが、これらの配置場所は図１（Ｂ）等に記載されたものに限定されず、さらには、ＬＣＤ２２に表示されるソフトウェアボタンとして実現されても良い。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態で説明された技術的思想は、単独で実施されても良いし、可能な限り組み合わされて実施されることも意図される。
【符号の説明】
【０１０１】
１，３１  撮影レンズ、１１  フラッシュメモリ、１３  入力部、１３Ａ  動画像撮影ボタン、１３Ｂ  レリーズボタン、２２  ＬＣＤ、２２Ａ  第１の表示領域、２２Ｂ  第２の表示領域。
【図１】
2012165090.tif 000003
【図２】
2012165090.tif 000004
【図３】
2012165090.tif 000005
【図４】
2012165090.tif 000006
【図５】
2012165090.tif 000007
【図６】
2012165090.tif 000008
【図７】
2012165090.tif 000009
【図８】
2012165090.tif 000010
【図９】
2012165090.tif 000011
【図１０】
2012165090.tif 000012
【図１１】
2012165090.tif 000013
【図１２】
2012165090.tif 000014
【図１３】
2012165090.tif 000015